(57)【要約】      （修正有）【課題】筆記の対象となっている個別のレフィール内のインクが筆記不可能な程度に減少した際に、直ちに新しい個別のレフィールと交換できる接合レフィール及び当該接合レフィールを軸筒内に配列したボールペンを提供する。【解決手段】ボールペンに使用する個別のレフィール１を、ペン先１１０の位置を基準として同一方向若しくは逆方向としたうえで、ペン軸方向に沿って複数本直列に配列し、かつ個別のレフィール１の端部をパイプ状の継部２を介して接合するか、又はペン先１１０の位置を基準として同一方向としたうえで、ペン軸方向に沿って配列する。さらに、個別のレフィール１の接合部において、一方側の個別のレフィール１のペン先１１０が、他方側の個別のレフィール１のペン先１１０と反対側の後端部１２に嵌合しているボールペン用接合レフィール、及び当該接合レフィールを軸筒内において、ペン軸に沿って配列する。【選択図】図１
0003167278.tif 000002
【実用新案登録請求の範囲】
【請求項１】
ボールペンに使用する個別のレフィールを、ペン先の位置を基準として同一方向又は逆方向に複数本直列に配列し、かつ個別のレフィールの端部をパイプ状の継部を介して接合しているボールペン用接合レフィール。
【請求項２】
パイプ状の継部の内側において、個別のレフィールのペン先又は当該ペン先の反対側に位置している後端部と当接し、かつ他の内側領域の壁部よりも小さな内径を有する段差部を設けていることを特徴とする請求項１記載のボールペン用接合レフィール。
【請求項３】
パイプ状の継部の両外側から内側に向けて、ペン先を嵌入するために、順次内径が縮小しているテーパ状を形成していることを特徴とする請求項１記載のボールペン用接合レフィール。
【請求項４】
ボールペンに使用する個別のレフィールを、ペン軸方向に沿ってペン先の位置を基準として同一方向に複数本直列に配列し、かつ個別のレフィール同士の接合部において、一方側の個別のレフィールのペン先が、他方側の個別のレフィールのペン先と反対側の後端部に嵌合しているボールペン用接合レフィール。
【請求項５】
ペン先及び当該ペン先を支持している金属パイプと接合しているプラスチックパイプにおいて可撓性を有する素材を採用したうえで、当該プラスチックパイプの内径がペン先の外径よりもやや小さく設定していることを特徴とする請求項４記載のボールペン用接合レフィール。
【請求項６】
請求項１、２、３、４、５の何れか一項に記載のボールペン用接合レフィールを軸筒内において、ペン軸に沿って配列していることを特徴とするボールペン。
【考案の詳細な説明】
【技術分野】
【０００１】
本考案は、ボールペンに使用する個別のレフィールを接合したことによる個別のレフィール、及び当該接合レフィールを軸筒内に配列することによって採用しているボールペンに関するものである。
【背景技術】
【０００２】
ボールペンにおいては、ボール構造のペン先及び当該ペン先を支持する金属パイプ部分であるボールペンチップと、当該ボールペンチップに接続しているプラスチックパイプを有する個別のレフィールをペン軸方向に配列している。
【０００３】
前記ボールペンチップ及びプラスチックパイプ内にはインクが収容されているが、筆記によってインクが順次費消された場合に、当該インクの残存量が少ない場合には筆記が不可能な状態とならざるを得ない。
【０００４】
しかるに、ボールペンの使用段階において、個別のレフィール内のインクが筆記不可能な程度に至っているか否かについては、簡単に判断することができない。
【０００５】
このような状態に対処するために、個別のレフィールにおけるインクの残存量を外部から見て判断し得るように、ボールペンの軸筒を透明樹脂によって形成する構成、又は当該軸筒方向のうち、ペン先に近い部位において、インクの残存の程度を透視し得る透視孔を個別のレフィールの配列部位に至るまで形成する構成が採用されている。
【０００６】
しかしながら、このような構成によって、インクの残存量が少ないことが判明したとしても、新しい個別のレフィールの交換を簡単に行い得る訳ではない。
【０００７】
インクの費消に伴って個別のレフィールを交換するために、ボールペン内に複数本のレフィールを配列する構成は、例えば特許文献１、２、３に示すように、公知技術において既に提唱されている。
【０００８】
しかしながら、これらの公知技術の場合には、２本以上のレフィールを軸筒内に並列に配列しており、使用段階において何れの個別のレフィールを選択するかにつき、複雑な構成を不可欠としている。
【先行技術文献】
【特許文献】
【０００９】
【特許文献１】実開平７−２８６８２号公報
【特許文献２】特開平９−５８１８５号公報
【特許文献３】特開２０００−１０８５８５号公報
【考案の概要】
【考案が解決しようとする課題】
【００１０】
本考案は、ボールペンにおいて、筆記の対象とされている個別のレフィール内のインクが筆記不可能な程度に減少した際に、直ちに新しい個別のレフィールと交換できるようなボールペン用接合レフィール及び当該接合レフィールを軸筒内に配列することによって採用しているボールペンの構成を提供することを課題としている。
【課題を解決するための手段】
【００１１】
前記課題を解決するため、本考案の基本構成は、
（１）ボールペンに使用する個別のレフィールを、ペン先の位置を基準として同一方向又は逆方向に複数本直列に配列し、かつ個別のレフィールの端部をパイプ状の継部を介して接合しているボールペン用接合レフィール、
（２）ボールペンに使用する個別のレフィールを、ペン軸方向に沿ってペン先の位置を基準として同一方向に複数本直列に配列し、かつ個別のレフィール同士の接合部において、一方側の個別のレフィールのペン先が、他方側の個別のレフィールのペン先と反対側の後端部に嵌合しているボールペン用接合レフィール、
（３）前記（１）又は前記（２）のボールペン用接合レフィールを軸筒内において、ペン軸に沿って配列していることを特徴とするボールペン、
からなる。
【考案の効果】
【００１２】
前記基本構成（１）、（２）、（３）によって、本考案のボールペン用接合レフィールを採用しているボールペンにおいては、筆記に使用されている個別のレフィール内のインクがペン先滲出しなくなった段階において、他の個別のレフィールと交換することによって、筆記を円滑に継続することが可能となる。
【図面の簡単な説明】
【００１３】
【図１】基本構成（１）のボールペン用接合レフィールの構成を示す長手方向の側断面図であり、（ａ）はボールペン用接合レフィールがペン先の位置を基準として同一方向である場合を示しており、（ｂ）はボールペン用接合レフィールがペン先の位置を基準とした場合に逆方向である場合を示している。
【図２】基本構成（２）のボールペン用接合レフィールの構成を示す側断面図である。
【図３】実施例１の構成を示す側断面図である。
【考案を実施するための形態】
【００１４】
前記基本構成（１）においては、図１に示すように、パイプ状の継部２を介して個別のレフィール１の端部を接合しているが、接合形態は、図１（ａ）に示すように、ペン先１１０の位置を基準とした場合、同一方向である場合と、図１（ｂ）に示すように、逆方向である場合の何れをも選択することができる。
【００１５】
図１に示す継部２は、パイプ状の継部２の内側において、個別のレフィール１のペン先１１０又は当該ペン先１１０の反対側に位置している後端部１２と当接し、かつ他の内側領域の壁部よりも小さな内径を有する段差部２１を設けていることを特徴とする実施形態を採用しているが、当該実施形態の場合には、個別のレフィール１におけるペン先１１０とその反対側の後端の位置を確定し、しかも、前記小さな内径によって囲まれた孔部にペン先１１０を堅固な状態にて嵌合することができる。
【００１６】
パイプ状の継部２について、図１（ａ）、（ｂ）に示すような段差部２１を設けた実施形態に代えて、単純な筒状の実施形態（図示せず）を採用することも可能であるが、当該筒状の実施形態の場合には、図１（ａ）、（ｂ）に示す実施形態における上記のような技術上の特徴点を発揮することができない代わりに、製造が容易である点において優れている。
【００１７】
基本構成（２）は、図２に示すように、ペン先１１０を基準とした場合、個別のレフィール１をペン先１１０の位置を基準として同一方向に複数本直列に配列し、かつ接合部において一方側の個別のレフィール１のペン先１１０を他方側の個別のレフィール１の後端部に嵌合することによって双方の接合を実現しており、基本構成（１）のような継部２を不要としている。
【００１８】
このような基本構成（２）の場合には、継部２を不要としながら、前記のような考案の効果を得ることができる点において極めて便利である。
【００１９】
図１（ａ）、（ｂ）及び図２においては、２本のレフィール１によるボールペン用接合レフィールを示すが、３本以上のレフィール１の接合は当然可能である。
【００２０】
基本構成（３）においては、基本構成（１）及び同（２）のボールペン用接合レフィールを、ボールペンの軸筒内において、ペン軸に沿って配列している。
【００２１】
当該配列による構成において、基本構成（１）の場合には継部２が介在する点において通常の個別のレフィール１の配設と相違するが、その余の配設構成は、通常のボールペンにおいて個別のレフィール１を配設する構成と全く変わりはない。
【００２２】
しかも、通常のボールペンの場合と同様に、ボールペン用接合レフィールがノックによって移動するノック方式、及び移動しない固定方式の何れをも採用することができる。
【００２３】
以下実施例に即して説明する。
【実施例１】
【００２４】
実施例１は、前記基本構成（１）において図３に示すように、パイプ状の継部２の両外側から内側に向けて、ペン先を嵌入するために、順次内径が縮小しているテーパ状を形成していることを特徴としている。
【００２５】
実施例１においては、各個別のレフィール１のペン先１１０の何れをも継部２に嵌入した場合に、当該テーパ部の中途部位に緊密に結合させ、強固な接合状態を形成することができる。
【実施例２】
【００２６】
実施例２は、前記基本構成（２）においてペン先１１０及び当該ペン先１１０を支持している金属パイプ１１１と接合しているプラスチックパイプにおいて可撓性を有する素材を採用したうえで、当該プラスチックパイプの内径がペン先１１０の外径よりもやや小さく設定していることを特徴としている。
【００２７】
実施例２においては、可撓性を有するプラスチックパイプに対しペン先１１０を嵌入した場合には、ペン先１１０と金属パイプ１１１との緊密な嵌合によって強固な接合状態を形成することができる。
【産業上の利用可能性】
【００２８】
本考案は、ボールペン全般において利用することができ、その技術的価値は絶大である。
【符号の説明】
【００２９】
１  個別のレフィール
１１  ボールペンチップ
１１０  ペン先
１１１  金属パイプ
１２  ペン先と反対側に位置している後端部
１３  収容されたインク
１４  個別のレフィールの後端部におけるテーパ部
２  継部
２１  段差部
２２  継部におけるテーパ部
【図１】
0003167278.tif 000003
【図２】
0003167278.tif 000004
【図３】
0003167278.tif 000005